(57)【要約】【課題】紫外線照射量が小さい微生物の割合を低くすることができる殺菌処理装置および、この殺菌処理装置を備えたバラスト水処理装置を提供する。【解決手段】殺菌処理装置３は、バラスト水が流通するチャンバ３０と、チャンバ３０内に配置されている紫外線ランプ３９と、チャンバ３０内に配置されてバラスト水の流れを紫外線ランプ３９の長手方向ＤＬとは異なる方向に変える水流変更板４０（４０Ａ，４０Ｂ）とを備える。【選択図】図４
2015033677.tif 000002
【特許請求の範囲】
【請求項１】
バラスト水が流通するチャンバと、
前記チャンバ内に配置されている紫外線ランプと、
前記チャンバ内に配置されて前記バラスト水の流れを前記紫外線ランプの長手方向とは異なる方向に変える水流変更板とを備える
殺菌処理装置。
【請求項２】
前記水流変更板が前記紫外線ランプに交わっている
請求項１に記載の殺菌処理装置。
【請求項３】
複数本の前記紫外線ランプを有し、これら前記紫外線ランプは互いに平行にかつこれら紫外線ランプの中心軸が一つの平面に含まれるように配置され、前記チャンバ内の空間は前記平面により第１空間と第２空間に区分され、
前記水流変更板は前記チャンバ内に複数枚設けられ、
前記水流変更板のうちの少なくとも１枚は、前記第１空間内に、前記紫外線ランプの前記長手方向に対して垂直または斜めに配置され、
前記水流変更板のうちの少なくとも他の１枚は、前記第２空間内に、前記紫外線ランプの前記長手方向に対して垂直または斜めに配置されている
請求項１または請求項２に記載の殺菌処理装置。
【請求項４】
前記チャンバは、前記紫外線ランプの長手方向に垂直な断面において矩形であり、
前記複数本の紫外線ランプは等間隔に配置され、
前記複数本の紫外線ランプの中心軸が含まれる平面内各点の紫外線強度が、前記チャンバの周壁において前記平面に対向する面上各点の紫外線強度よりも高くなるように前記紫外線ランプの間隔が規定されている
請求項３に記載の殺菌処理装置。
【請求項５】
前記水流変更板のうちで前記第１空間内に配置されている第１水流変更板と、前記水流変更板のうちで前記第２空間内に配置されている第２水流変更板とは、交互に配列されている
請求項３または請求項４に記載の殺菌処理装置。
【請求項６】
前記水流変更板のうちで前記第１空間内に配置されている第１水流変更板と、前記水流変更板のうちで前記第２空間内に配置されている第２水流変更板とは、前記紫外線ランプの前記長手方向に沿う方向で透視した場合に、前記第１及び第２水流変更板それぞれの一部分で互いに重なり合っている
請求項３〜請求項５のいずれか１項に記載の殺菌処理装置。
【請求項７】
複数本の前記紫外線ランプを有し、
これら前記紫外線ランプは互いに平行にかつこれら紫外線ランプの中心軸が一つの平面に含まれるように配置され、
前記水流変更板は前記チャンバ内に三枚以上設けられ、前記水流変更板の少なくとも一枚は、前記複数本の紫外線ランプが貫通するように設けられかつ前記平面を挟む両側にそれぞれ開口部を形成するものであり、
前記水流変更板の少なくとも二枚の前記水流変更板は、前記チャンバの周壁から前記紫外線ランプに向かって突出しかつ前記開口部に対向するようにそれぞれ設けられている
請求項１または請求項２に記載の殺菌処理装置。
【請求項８】
前記チャンバは円筒状であり、このチャンバの中心軸に沿うように前記紫外線ランプが配置され、
前記水流変更板は前記チャンバ内に複数枚設けられ、
前記水流変更板の少なくとも一枚は、前記紫外線ランプが貫通するように設けられかつ前記チャンバの周壁に沿う開口部を形成するものであり、
他の前記水流変更板は、前記チャンバの周壁に沿うように前記開口部に対向して設けられてかつ前記紫外線ランプが挿通する開口部を有する
請求項１または請求項２に記載の殺菌処理装置。
【請求項９】
請求項１、請求項７または請求項８に記載の殺菌処理装置を備えるバラスト水処理装置。
【発明の詳細な説明】
【技術分野】
【０００１】
本発明は、バラスト水に含まれる微生物を殺菌する殺菌処理装置、及びその殺菌処理装置を備えるバラスト水処理装置に関する。
【背景技術】
【０００２】
船舶には、バラスト水（Ballast Water）として海水が貯留されている。
積載量が少ないときは、船外から海水を汲み上げてこの海水をバラスト水としてバラスト水タンクに貯留する。船舶の積載量が多いときには、バラスト水タンクからバラスト水を排出する。例えば、貨物船では、出港地でその港の海水をバラスト水タンクに貯留する。また、目的港で、貨物を積み込む作業とともに、バラスト水を海に排出する。
【０００３】
ところで、近年、バラスト水による環境への影響が問題視されている。
船舶の出港地と目的港とが離れており、両地の生体環境が異なる場合、バラスト水の排水により、目的港の生体環境が変化するおそれがあるためである。
【０００４】
このため、特許文献１に記載の技術のように、海水をバラスト水タンクに貯留するとき、汲み上げたバラスト水に紫外線を照射して微生物を死滅させる。また、バラスト水タンクからバラスト水を排水するときは、バラスト水に紫外線を照射して微生物を死滅させてから、バラスト水を排水する。
【先行技術文献】
【特許文献】
【０００５】
【特許文献１】特開２０１１−１８９２３７号公報
【発明の概要】
【発明が解決しようとする課題】
【０００６】
ところで、バラスト水処理時間の短縮のため、バラスト水処理速度の向上が要求されている。このため、殺菌処理装置の大型化が図られている。
殺菌処理装置の大型化に伴って、従来よりも長尺の紫外線ランプを使用することが提案されている。この構成の場合、紫外線ランプの長手方向に沿うようにバラスト水を流す。この構成によれば、紫外線ランプの中心軸に対して垂直方向にバラスト水を流す場合（引用文献１の図５参照。）に比べて、微生物が紫外線照射を受ける照射時間を長くすることができる。
【０００７】
しかし、紫外線ランプの長手方向に沿うようにバラスト水を流す場合、紫外線ランプの近傍を流れるバラスト水中の微生物が受ける紫外線照射量が大きくなり、紫外線ランプから離れたところを流れるバラスト水中の微生物が受ける紫外線照射量が小さくなる。このため、紫外線ランプから離れたところを流れるバラスト水中の微生物の死滅率が低くなるおそれがある。
【０００８】
このようなことから、殺菌処理装置で処理される所定単位量のバラスト水に含まれる微生物の個体数について、その紫外線照射量が小さい微生物の割合を低くすることが要求されている。
【０００９】
本発明はこのような事情に鑑みてなされたものであり、その目的は、紫外線照射量が小さい微生物の割合を低くすることができる殺菌処理装置および、この殺菌処理装置を備えたバラスト水処理装置を提供することにある。
【課題を解決するための手段】
【００１０】
本発明に係る殺菌処理装置は、バラスト水が流通するチャンバと、前記チャンバ内に配置されている紫外線ランプと、前記チャンバ内に配置されて前記バラスト水の流れを前記紫外線ランプの長手方向とは異なる方向に変える水流変更板とを備える。
【発明の効果】
【００１１】
殺菌処理装置及びバラスト水処理装置は、紫外線照射量が小さい微生物の割合を低くすることができる。
【図面の簡単な説明】
【００１２】
【図１】バラスト水処理装置の模式図である。
【図２】バラスト水処理装置において、バラスト水の入水経路を示す模式図である。
【図３】バラスト水処理装置において、バラスト水の排水経路を示す模式図である。
【図４】第１実施形態に係る殺菌処理装置を示す斜視図である。
【図５】図４のＡ−Ａ線に沿う断面図である。
【図６】殺菌処理装置において、バラスト水の流れを示す斜視図である。
【図７】比較に係る殺菌処理装置の斜視図である。
【図８】図７のＢ−Ｂ線に沿う断面図である。
【図９】所定単位量のバラスト水に含まれる微生物の個体数について、紫外線照射量毎の微生物の割合を示すグラフである。
【図１０】第２実施形態に係る殺菌処理装置の斜視図である。
【図１１】第２実施形態に係る殺菌処理装置の断面図である。
【図１２】第３実施形態に係る殺菌処理装置の斜視図である。
【図１３】殺菌処理装置の変形例の断面図である。
【発明を実施するための形態】
【００１３】
［本願発明の実施形態の説明］
最初に本願発明の実施形態の内容を列記して説明する。
本願発明に係る殺菌処理装置は、（１）バラスト水が流通するチャンバと、前記チャンバ内に配置されている紫外線ランプと、前記チャンバ内に配置されて前記バラスト水の流れを前記紫外線ランプの長手方向とは異なる方向に変える水流変更板とを備える。
【００１４】
従来構造の殺菌処理装置では、紫外線ランプの長手方向に沿うようにバラスト水を流す。このため、紫外線ランプ近傍のバラスト水は、紫外線ランプから離れることなく流通する。また、紫外線ランプから離れたところのバラスト水は、紫外線ランプに接近することなく流通する。
【００１５】
これに対して、上記構成によれば、水流変更板が、チャンバ内のバラスト水の流れを紫外線ランプの長手方向とは異なる方向に変える。このため、紫外線ランプ近傍のバラスト水の一部は、紫外線ランプから離れ、紫外線ランプから離れたところのバラスト水の一部は、紫外線ランプに接近する。すなわち、紫外線ランプに接近せず、紫外線ランプから離れたところを流通するバラスト水の水量を少なくすることができる。このため、従来構造の殺菌処理装置に比べて、殺菌処理装置で処理される所定単位量のバラスト水に含まれる微生物の個体数について、紫外線照射量が小さい微生物の割合が低くなる。なお、ここで、「紫外線照射量」とは、バラスト水が殺菌処理装置を流通する間に微生物が受ける紫外線量を示す。
【００１６】
（２）上記殺菌処理装置において、前記水流変更板が前記紫外線ランプに交わっていることが好ましい。
この構成によれば、紫外線ランプの近傍に流れるバラスト水が紫外線ランプから離れるように流れる。そして、この流れに伴って、紫外線ランプから離れたところのバラスト水が紫外線ランプに接近する。このようなことから、紫外線ランプの近傍でかつこの紫外線ランプに沿うように流通するバラスト水の水量を少なくすることができる。そして、この作用により、紫外線ランプに接近せずに紫外線ランプから離れたところを流通するバラスト水の水量を少なくすることができる。このため、水流変更板を紫外線ランプに交わらせない構成に比べ、殺菌処理装置で処理される所定単位量のバラスト水に含まれる微生物の個体数について、紫外線照射量が小さい微生物の割合を低くすることができる。
【００１７】
（３）例えば、殺菌処理装置は次のように構成される。
すなわち、殺菌処理装置は、複数本の前記紫外線ランプを有する。これら前記紫外線ランプは互いに平行にかつこれら紫外線ランプの中心軸が一つの平面に含まれるように配置される。前記チャンバ内の空間は、前記平面により第１空間と第２空間に区分される。前記水流変更板は前記チャンバ内に複数枚設けられ、前記水流変更板のうちの少なくとも１枚は、前記第１空間内に、前記紫外線ランプの前記長手方向に対して垂直または斜めに配置される。前記水流変更板のうちの少なくとも他の１枚は、前記第２空間内に、前記紫外線ランプの前記長手方向に対して垂直または斜めに配置される。
【００１８】
すなわち、チャンバ内の空間において、複数本の紫外線ランプにより構成される平面を境界として区分される第１空間及び第２空間のそれぞれに、水流変更板が配置される。そして、これらの水流変更板は、紫外線ランプの前記長手方向に対して垂直または斜めに配置されている。このため、第１空間側に流れるバラスト水と第２空間側に流れるバラスト水は、それぞれ他方の空間に流れるようになる。このとき、各空間に流通するバラスト水が他の空間に流れるときに紫外線ランプに接近する。すなわち、紫外線ランプに接近せずに紫外線ランプから離れたところを流通するようなバラスト水の流れの形成が抑制される。これによって、殺菌処理装置で処理される所定単位量のバラスト水に含まれる微生物の個体数について、紫外線照射量が小さい微生物の割合が低くなる。
【００１９】
（４）また、この殺菌処理装置において次の構成が好ましい。すなわち、前記チャンバは、前記紫外線ランプの長手方向に垂直な断面において矩形に構成される。前記複数本の紫外線ランプは等間隔に配置される。そして、前記複数本の紫外線ランプの中心軸が含まれる平面内各点の紫外線強度が、前記チャンバの周壁において前記平面に対向する面上各点の紫外線強度よりも高くなるように、前記紫外線ランプの間隔が規定されることが好ましい。
【００２０】
複数本の紫外線ランプの間隔が大きい場合、２本の紫外線ランプの中間あたりの紫外線強度が低くなる。このため、バラスト水の流れが紫外線ランプの長手方向とは異なる方向に変えられたとしても、紫外線ランプから離れたところを流れるバラスト水の一部が、この２本の紫外線ランプの中間あたりを通過したとすると、このバラスト水に含まれる微生物の紫外線照射量の増大は小さい。このため、紫外線照射量が小さい微生物の割合が低くなるものの、その効果が小さくなるおそれがある。
【００２１】
そこで、上記構成では、複数本の紫外線ランプの中心軸が含まれる平面内各点の紫外線強度が、チャンバの周壁において前記平面に対向する面上各点の紫外線強度よりも高くなるように、紫外線ランプ間の間隔を規定する。これにより、紫外線ランプ間の間隔をこの規定による間隔の最大値よりも大きくした場合に比べて、紫外線照射量が小さい微生物の割合を低くすることができる。
【００２２】
（５）この殺菌処理装置において、前記水流変更板のうちで前記第１空間内に配置されている第１水流変更板と、前記水流変更板のうちで前記第２空間内に配置されている第２水流変更板とは、交互に配列されていることが好ましい。
【００２３】
第１空間内に２枚の第１水流変更板が連続して配置されるとき、この第１水流変更板の間のバラスト水が滞留する。この点、上記構成によれば、チャンバ内を流通するバラスト水が蛇行するように流通する。このため、バラスト水がチャンバ内で滞留することが抑制される。
【００２４】
（６）この殺菌処理装置において、前記水流変更板のうちで前記第１空間内に配置されている第１水流変更板と、前記水流変更板のうちで前記第２空間内に配置されている第２水流変更板とは、前記紫外線ランプの前記長手方向に沿う方向で透視した場合に、前記第１及び第２水流変更板それぞれの一部分で互いに重なり合っていることが好ましい。
【００２５】
第１水流変更板と第２水流変更板とが重なり合っていない場合、前記紫外線ランプの前記長手方向に沿って直線状の流路が形成される。バラスト水は、障害が少ないところに流れるため、この直線状の流路にバラスト水が集中して流れるおそれがある。この場合、水流変更板の作用が小さくなる。この点、上記構成によれば、第１水流変更板と第２水流変更板とを重なり合わせている。このため、紫外線ランプの前記長手方向に沿う直線状の流路が形成されないため、水流変更板が効果的に作用する。
【００２６】
（７）殺菌処理装置の他の例として、殺菌処理装置は次のように構成される。
すなわち、殺菌処理装置は、複数本の前記紫外線ランプを有する。これら前記紫外線ランプは互いに平行にかつこれら紫外線ランプの中心軸が一つの平面に含まれるように配置される。前記水流変更板は前記チャンバ内に三枚以上設けられ、前記水流変更板の少なくとも一枚は、前記複数本の紫外線ランプが貫通するように設けられかつ前記平面を挟む両側にそれぞれ開口部を形成するものである。前記水流変更板の少なくとも二枚の前記水流変更板は、前記チャンバの周壁から前記紫外線ランプに向かって突出しかつ前記開口部に対向するようにそれぞれ設けられる。
【００２７】
この構成によれば、紫外線ランプに沿って流れるバラスト水が水流変更板によってその流れが変更されて、上記開口部に流入する。これら開口部に対向する位置には他の水流変更板が配置されているため、これら開口部に流入するバラスト水は、他の水流変更板によってその流れが変えられて、紫外線ランプに接近する。すなわち、紫外線ランプに接近せずに紫外線ランプから離れたところを流通するようなバラスト水の流れの形成が抑制される。これによって、殺菌処理装置により処理される所定単位量のバラスト水に含まれる微生物の個体数について、紫外線照射量が小さい微生物の割合が低くなる。
【００２８】
（８）殺菌処理装置の他の例として、殺菌処理装置は次のように構成される。
すなわち、殺菌処理装置のチャンバは円筒状である。このチャンバの中心軸に沿うように前記紫外線ランプが配置される。前記水流変更板は前記チャンバ内に複数枚設けられ、前記水流変更板の少なくとも一枚は、前記紫外線ランプが貫通するように設けられかつ前記チャンバの周壁に沿う開口部を形成する。他の前記水流変更板は、前記チャンバの周壁に沿うように前記開口部に対向して設けられてかつ前記紫外線ランプが挿通する開口部を有する。
【００２９】
この構成によれば、紫外線ランプに沿って流れるバラスト水が水流変更板によってその流れが変更されて、開口部に流入する。そして、この開口部に対向する位置に他の水流変更板が配置されているため、この開口部を流入するバラスト水は、この他の水流変更板によってその流れが変えられて、紫外線ランプに接近する。すなわち、紫外線ランプに接近せずに紫外線ランプから離れたところを流通するようなバラスト水の流れの形成が抑制される。これによって、殺菌処理装置により処理される所定単位量のバラスト水に含まれる微生物の個体数について、紫外線照射量が小さい微生物の割合が低くなる。
【００３０】
（９）実施形態に係るバラスト水処理装置は、上記（１）〜（８）のいずれかに記載の殺菌処理装置を備える。
このバラスト水処理装置によれば、紫外線ランプに接近せずに紫外線ランプから離れたところを流通するバラスト水の水量を少なくすることができる。これにより、紫外線照射量が小さい微生物の割合を低くすることができる。
【００３１】
［本願発明の実施形態の詳細］
本発明の実施形態に係るバラスト水処理装置１の具体例を、図面を参照しつつ以下に説明する。なお、本発明は、これらの例示に限定されるものではなく、特許請求の範囲によって示され、特許請求の範囲と均等の意味およびこの特許請求の範囲内での全ての変更が含まれることが意図される。
【００３２】
［第１実施形態］
図１を参照して、バラスト水処理装置１について説明する。
船舶１００の底部には、海水をバラスト水として貯留するためのバラスト水タンク１３０が設けられている。
【００３３】
船舶１００内には、船外から海水をバラスト水として汲み上げる機能及びバラスト水タンク１３０内に貯留されたバラスト水を汲み上げる機能を有するポンプ１４０が設置されている。このポンプ１４０は、船外の海水を吸い込むための第１吸込口１４１と、バラスト水を吸い込むための第２吸込口１４２と、海水及びバラスト水を吐き出す吐出口１４３とを有する。
【００３４】
バラスト水処理装置１は、このポンプ１４０の吐出口１４３側に設置されている。
バラスト水処理装置１は、バラスト水に含まれる微生物及び浮遊物質をろ過するろ過装置２と、微生物を殺菌する殺菌処理装置３とを備えている。なお、図１に示す例では、バラスト水処理装置１は２台のろ過装置２を有しているが、ろ過装置２の台数は２台に限定されない。
【００３５】
微生物の例としては、大腸菌、コレラ菌等の菌類、ミジンコ等のプランクトン、昆布等の幼生等が挙げられる。
浮遊物質は、海中に浮遊する数ｍｍ以下の不溶解性物質を示す。
【００３６】
ろ過装置２は、浮遊物質及び所定以上の大きさの微生物を除去する。
ろ過装置２は、円筒状のケース２０と、このケース２０内に収容される円筒状のフィルタモジュール２１とを備えている。
【００３７】
ケース２０には、ろ過装置２にバラスト水を流入するための流入口２３と、フィルタモジュール２１を通過しないバラスト水（ろ過処理されないバラスト水）を排水するための排出口２４とが設けられている。
【００３８】
フィルタモジュール２１の外周壁は、バラスト水に含まれる微生物及び浮遊物質を除去するためのフィルタ２２により形成されている。フィルタモジュール２１内の内部空間は、フィルタ２２を介して外部空間と連通する。また、フィルタモジュール２１は、フィルタ２２以外の部分からはバラスト水が流入しないように構成されている。フィルタモジュール２１内には、フィルタ２２を通過したバラスト水をフィルタモジュール２１の外部に取り出すための第４配管５４が導入されている。
【００３９】
フィルタ２２としては、例えば、不織布、多孔質樹脂等が用いられる。
この中でも、バラスト水に対する耐腐食性の観点から、多孔質フッ素樹脂フィルタが好適に用いられる。
【００４０】
殺菌処理装置３は、ろ過装置２でろ過されたバラスト水を殺菌処理する。
すなわち、殺菌処理装置３は、フィルタ２２を通過する微生物を紫外線により死滅させる。
【００４１】
次に、バラスト水処理装置１の配管構造について説明する。
ポンプ１４０の第１吸込口１４１には、海水をバラスト水として取り入れる第１配管５１が接続されている。第１配管５１の配管口（第１吸込口１４１に接続されている配管口とは反対側の配管口）は、船舶１００の取水口１１０に接続されている。
【００４２】
ポンプ１４０の第２吸込口１４２には、バラスト水を取り入れる第２配管５２が接続されている。第２配管５２の配管口（第２吸込口１４２に接続されている配管口とは反対側の配管口）は、バラスト水タンク１３０内に配置されている。
【００４３】
第１配管５１には、この第１配管５１の流路を開閉するための第１バルブ６１が設けられている。また、第２配管５２には、この第２配管５２の流路を開閉するための第２バルブ６２が設けられている。
【００４４】
ポンプ１４０の吐出口１４３には第３配管５３が接続されている。
第３配管５３は、主配管５３Ａと、この主配管５３Ａから分岐するバイパス配管５３Ｂとにより構成されている。
【００４５】
主配管５３Ａは、ポンプ１４０の吐出口１４３とろ過装置２の流入口２３とを互いに接続する。バイパス配管５３Ｂの一端（分岐部分とは反対側の端）は、殺菌処理装置３の流入口３７に接続されている。バイパス配管５３Ｂには、バイパス配管５３Ｂの流路を開閉するための第３バルブ６３が設けられている。
【００４６】
ろ過装置２のフィルタモジュール２１には、上記したように、第４配管５４が導入されている。すなわち、第４配管５４の一端はフィルタモジュール２１内に配置されている。第４配管５４の他端は、上記バイパス配管５３Ｂの第３バルブ６３の下流側に接続されている。すなわち、第４配管５４は、ろ過装置２でろ過されたバラスト水を殺菌処理装置３に導く。この第４配管５４には、この第４配管５４の流路を開閉するための第４バルブ６４が設けられている。
【００４７】
ろ過装置２の排出口２４には、第５配管５５が接続されている。
第５配管５５の他端は船舶１００の排水口１２０まで延びている。第５配管５５には、この第５配管５５の流路を開閉するための第５バルブ６５が設けられている。
【００４８】
殺菌処理装置３の流出口３８には、第６配管５６が接続されている。第６配管５６には、この第６配管５６の流路を開閉するための第６バルブ６６が設けられている。第６配管５６の一端（流出口３８に接続する端とは反対側の端）は、第５配管５５において第５バルブ６５よりも下流側に接続されている。
【００４９】
第６配管５６の途中には、第７配管５７が接続されている。
第７配管５７の一端（第６配管５６に接続する端とは反対側の端）は、バラスト水タンク１３０まで延びている。第７配管５７には、第７配管５７の流路を開閉するための第７バルブ６７が設けられている。
【００５０】
図２を参照して、バラスト水タンク１３０にバラスト水を貯留するときのバラスト水の流れを説明する。なお、バラスト水タンク１３０にバラスト水を貯留するときは、バラスト水をろ過装置２でろ過し、殺菌処理装置３で殺菌処理する。
【００５１】
なお、以降の説明においては、第１〜第７バルブ６１〜６７において、「バルブが開放状態に設定される」とは、配管５１〜５７において、バラスト水が流通するようにその配管に設けられているバルブ６１〜６７が開かれることをいう。また、「バルブが閉鎖状態に設定される」とは、配管５１〜５７において、バラスト水が流通しないようにその配管に設けられているバルブ６１〜６７が閉じられることをいう。
【００５２】
バラスト水タンク１３０にバラスト水を貯留するとき、第１バルブ６１が開放状態に設定され、かつ第２バルブ６２が閉鎖状態に設定される。これにより、船外の海水がバラスト水としてポンプ１４０により汲み上げられる。
【００５３】
また、第３バルブ６３が閉鎖状態に設定され、かつ第４バルブ６４が開放状態に設定される。これにより、バラスト水がろ過装置２を通過して、殺菌処理装置３に流入する。
また、第６バルブ６６が閉鎖状態に設定され、かつ第７バルブ６７が開放状態に設定される。これにより、殺菌処理装置３で処理されたバラスト水がバラスト水タンク１３０に流入する。
【００５４】
また、第５バルブ６５が開放状態に設定される。これにより、バラスト水がろ過装置２を通過し、フィルタモジュール２１を通過しないバラスト水、すなわち、フィルタ２２でろ過されないバラスト水が、船外に排出される。
【００５５】
図３を参照して、バラスト水を船外に排出するときのバラスト水の流れを説明する。なお、バラスト水を排出するときは、バラスト水を殺菌処理装置３で殺菌処理する。
バラスト水を船外に排出するときは、第１バルブ６１が閉鎖状態に設定され、かつ第２バルブ６２が開放状態に設定される。これにより、バラスト水タンク１３０内のバラスト水がポンプ１４０により汲み上げられる。
【００５６】
また、第３バルブ６３が開放状態に設定され、かつ第４バルブ６４及び第５バルブ６５が閉鎖状態に設定される。これにより、バラスト水がろ過装置２を通過せずに、殺菌処理装置３に流入する。
【００５７】
また、第６バルブ６６が開放状態に設定され、かつ第７バルブ６７が閉鎖状態に設定される。これにより、殺菌処理装置３で殺菌処理されたバラスト水が船外に排出される。
図４〜図６を参照して、殺菌処理装置３の構造について説明する。
【００５８】
なお、図４〜図６の説明においては、紫外線ランプ３９の長手方向ＤＬにおいて、バラスト水の流れの上流に向く方向を前方とし、その反対方向を後方とする。鉛直方向において、下に向く方向を下方とし、その反対側を上方とする。また、殺菌処理装置３の前壁３３を正面として、正面視したときに、左手側を左側として、右手側を右側とする。
【００５９】
殺菌処理装置３は、バラスト水が流通する筒状のチャンバ３０と、チャンバ３０内に配置される紫外線ランプ３９と、チャンバ３０内の水流の向きを変更するための水流変更板４０とを備えている。なお、この例では、３本の紫外線ランプ３９がチャンバ３０内に配置されている。また、６枚の水流変更板４０がチャンバ３０内に配置されている。
【００６０】
紫外線ランプ３９は、断面円形で、細長の形状を有する。
紫外線ランプ３９の長さは、殺菌処理装置３の殺菌処理能力、チャンバ３０の大きさ、紫外線ランプ３９の使用本数等に基づいて設定される。
【００６１】
チャンバ３０は、紫外線ランプ３９の中心軸Ｃを含む平面Ｓに対して対称な形に形成されている。例えば、チャンバ３０は、図４に示されるように、直方体に形成される。すなわち、チャンバ３０において、紫外線ランプ３９の長手方向ＤＬに垂直な断面の形状は矩形である。なお、以降の説明では、チャンバ３０の周壁というときは、紫外線ランプ３９を周方向に囲む壁をいうものとする。
【００６２】
チャンバ３０は、上壁３１と、上壁３１に平行な下壁３２と、上壁３１に垂直な前壁３３と、この前壁３３に平行な後壁３４と、上壁３１及び前壁３３に垂直な左側壁３５と、この左側壁３５に平行な右側壁３６とを有する。チャンバ３０の周壁は、上壁３１と下壁３２と左側壁３５と右側壁３６とにより構成される。
【００６３】
これら壁（上壁３１、下壁３２、前壁３３、後壁３４、左側壁３５、及び右側壁３６）は、ステンレスにより形成され、内面は鏡面加工されている。すなわち、これら壁３１〜３６の内面は、紫外線の反射率が高くなるように研磨されている。
【００６４】
下壁３２の前壁３３側には、流入口３７が形成されている。
上壁３１の後壁３４側には、流出口３８が形成されている。すなわち、このチャンバ３０を流通するバラスト水は、このチャンバ３０の下方かつ前方部に流入し、チャンバ３０の上方かつ後方部から流出する。
【００６５】
紫外線ランプ３９のそれぞれは、互いに平行に、かつ、上壁３１および下壁３２に対して平行に配置されている。すなわち、紫外線ランプ３９それぞれの中心軸Ｃは同一平面Ｓ内に配置される。また、紫外線ランプ３９のそれぞれは、上壁３１からの距離ＤＹＡ（図６参照）と下壁３２からの距離ＤＹＢとが等しいところに配置されている。
【００６６】
また、これらの紫外線ランプ３９は次の条件を満たすようにその間隔ＤＸ（図６参照）が設定されている。すなわち、これら紫外線ランプ３９の中心軸Ｃが含まれる平面Ｓ内各点の紫外線強度が、チャンバ３０の周壁において平面Ｓに対向する面上各点（上壁３１及び下壁３２上の各点）の紫外線強度よりも高くなるように、紫外線ランプ３９の間隔ＤＸが規定されている。
【００６７】
例えば、紫外線ランプ３９の中心軸Ｃが含まれる平面Ｓ内各点の紫外線強度、及びチャンバ３０の周壁において平面Ｓに対向する面上各点の紫外線強度は、紫外線ランプ３９を発光点の連続体としてみなして、次のようにして算出される。すなわち、紫外線強度を求める点の紫外線強度は、発光点からの距離の２乗の反比例するという基本式と、当該点と紫外線ランプ３９上の各発光点それぞれとの間の距離とに基づいて計算される。
【００６８】
紫外線ランプ３９の間隔ＤＸは例えば次のように設定される。
３本の紫外線ランプ３９の間隔ＤＸは、紫外線ランプ３９と上壁３１との間の距離ＤＹＡ及び紫外線ランプ３９と下壁３２との間の距離ＤＹＢのいずれの距離よりも短くなるように、設定される。このような構成により、３本の紫外線ランプ３９の中間領域Ｐ１の紫外線強度は、紫外線ランプ３９から最も離れた部分すなわち上壁３１よりも大きく、かつ下壁３２あたりの紫外線強度よりも大きくなる。
【００６９】
また、３本の紫外線ランプ３９のうち左側の紫外線ランプ３９と左側壁３５との間の距離ＤＸＡは、紫外線ランプ３９の間隔ＤＸの半分の距離よりも短くなるように設定される。また同様に、及び３本の紫外線ランプ３９のうち右側の紫外線ランプ３９と右側壁３６との間の距離ＤＸＢは、紫外線ランプ３９の間隔ＤＸの半分の距離よりも短くなるように設定される。
【００７０】
このような構成により、左側壁３５において、左側の紫外線ランプ３９に近接する領域Ｐ２の紫外線強度は、紫外線ランプ３９から最も離れた部分すなわち上壁３１あたりの紫外線強度よりも大きく、かつ下壁３２あたりの紫外線強度よりも大きくなる。また、右側壁３６において、右側の紫外線ランプ３９に近接する領域Ｐ３の紫外線強度は、紫外線ランプ３９から最も離れた部分すなわち上壁３１あたりの紫外線強度よりも大きく、かつ下壁３２あたりの紫外線強度よりも大きくなる。
【００７１】
３本の紫外線ランプ３９の中心軸Ｃを含む平面Ｓ（図５及び図６参照）は、チャンバ３０内の空間を上下に区分する。以下、この平面Ｓよりも上側にある空間を第１空間ＲＡと称し、この平面Ｓよりも下側にある空間を第２空間ＲＢと称する。
【００７２】
３枚の水流変更板４０（以下、第１水流変更板４０Ａという。）は、上壁３１から下壁３２に向かって延びる。
図６に示すように、第１水流変更板４０Ａの左端４１Ａ及び右端４２Ａは、チャンバ３０の左側壁３５及び右側壁３６にそれぞれ接続され、第１水流変更板４０Ａの下端４３Ａは下壁３２から離れている。また、紫外線ランプ３９がこれら第１水流変更板４０Ａを貫通するように、第１水流変更板４０Ａの下端４３Ａの位置が設定されている。すなわち、第１水流変更板４０Ａは紫外線ランプ３９に交わっている。これら第１水流変更板４０Ａは、紫外線ランプ３９の中心軸Ｃに対して垂直に配置されている。
【００７３】
他の３枚の水流変更板４０（以下、第２水流変更板４０Ｂという。）は、下壁３２から上壁３１に向かって延びる。
図６に示すように、第２水流変更板４０Ｂの左端４１Ｂ及び右端４２Ｂは、チャンバ３０の左側壁３５及び右側壁３６にそれぞれ接続され、第２水流変更板４０Ｂの上端４３Ｂは上壁３１から離れている。また、紫外線ランプ３９がこれら第２水流変更板４０Ｂを貫通するように、第２水流変更板４０Ｂの上端４３Ｂの位置が設定されている。すなわち、第２水流変更板４０Ｂは紫外線ランプ３９に交わっている。これら第２水流変更板４０Ｂは、紫外線ランプ３９の中心軸Ｃに対して垂直に配置されている。
【００７４】
また、第１水流変更板４０Ａと第２水流変更板４０Ｂとは、紫外線ランプ３９の長手方向ＤＬに沿って交互に、かつ第１水流変更板４０Ａと第２水流変更板４０Ｂとの間の間隔が等しくなるように、配置されている。
【００７５】
また、この殺菌処理装置３において、第１水流変更板４０Ａと第２水流変更板４０Ｂとは、紫外線ランプ３９の長手方向ＤＬに沿う方向で透視した場合に、第１及び第２水流変更板４０Ａ，４０Ｂそれぞれの一部分で互いに重なり合うように、配置されている。
【００７６】
これら第１水流変更板４０Ａ及び第２水流変更板４０Ｂは、ステンレスにより形成されている。また、これら第１水流変更板４０Ａ及び第２水流変更板４０Ｂの両面は鏡面加工されている。すなわち、これら第１及び第２水流変更板４０Ａ，４０Ｂの両面は紫外線の反射率が高くなるように研磨されている。
【００７７】
図６を参照して、殺菌処理装置３を流通するバラスト水の流れを説明する。
図６は、図５のＡ部に対応する部分の斜視図である。ドットでハッチングしている部分は、第１水流変更板４０Ａまたは第２水流変更板４０Ｂを示す。
【００７８】
バラスト水は、チャンバ３０内の第１空間ＲＡに流入する。
第１空間ＲＡに流入したバラスト水の一部は、チャンバ３０の上壁３１に沿って流れて、第１水流変更板４０Ａに当たる。このバラスト水は、第１水流変更板４０Ａにより流れが変えられて、第２空間ＲＢに向かって流れる。このとき、このバラスト水は、紫外線ランプ３９に接近する。第２空間ＲＢに流れたバラスト水は、チャンバ３０の下壁３２に沿って流れて、第２水流変更板４０Ｂに当たる。このバラスト水は、第２水流変更板４０Ｂにより流れが変えられて、第１空間ＲＡに向かって流れる。このとき、このバラスト水は、紫外線ランプ３９に接近する。
【００７９】
このため、チャンバ３０内に流れるバラスト水の流れは、殺菌処理装置３の側面視において、紫外線ランプ３９の中心軸Ｃにより構成される平面Ｓを上から下にそして下から上に通り抜けるように、蛇行する（図５参照）。
【００８０】
このようなことから、チャンバ３０内では、紫外線ランプ３９の近傍のみを通過するような流れの発生、及び紫外線ランプ３９から離れたところのみを通過するような流れの発生が抑制される。
【００８１】
図７及び図８に、本実施形態に係る殺菌処理装置３と比較される比較構造の殺菌処理装置４００を示す。図８は、図７のＢ−Ｂ線に沿う断面図である。
殺菌処理装置４００は、本実施形態と同様の長さ及び直径の紫外線ランプ３９を３本有する。また、チャンバ４３０の断面積の大きさは、実施形態のチャンバ３０の断面積の大きさと等しい。チャンバ４３０の断面形状は円形である。比較構造の殺菌処理装置４００において、実施形態に係る殺菌処理装置３と異なる点は、水流変更板４０を設けていない点にある。
【００８２】
このような構成の場合、図８の矢印で示すように、バラスト水は、紫外線ランプ３９の長手方向ＤＬに沿って流れる。このとき、チャンバ４３０内に障害がないため、紫外線ランプ３９の近傍に流れるバラスト水は、流入口４３７から流出口４３８に至るまで紫外線ランプ３９の近傍に流れる。また、紫外線ランプ３９から離れたところを流れるバラスト水は、流入口４３７から流出口４３８に至るまで紫外線ランプ３９から離れたところを流れる。このようなことから、紫外線ランプ３９から離れたところを流れるバラスト水に含まれる微生物の紫外線照射量は、紫外線ランプ３９の近傍に流れるバラスト水に含まれる微生物の紫外線照射量よりも小さい。紫外線の強度は、発光点からの距離の２乗に反比例して小さくなるため、紫外線ランプ３９から離れたところを流れるバラスト水に含まれる微生物の紫外線照射量は、紫外線ランプ３９からの距離の２乗に反比例して小さくなる。そして、紫外線ランプ３９から離れたところの海水に含まれる微生物の死滅率は、低くなる。
【００８３】
図９に、殺菌処理装置３で処理される所定単位量のバラスト水に含まれる微生物の個体数について、紫外線照射量毎の微生物の割合を示す。
この割合は、所定単位量のバラスト水に含まれる微生物の全体の個体数に対して、この微生物のうち所定範囲の紫外線照射量を受けた微生物の個体数の割合を示す。
【００８４】
図９の破線は、比較構造の殺菌処理装置４００によりバラスト水を殺菌処理した場合において、紫外線照射量毎にその紫外線照射量を受けた微生物の割合を示すグラフである。
図９の実線は、実施形態に係る殺菌処理装置３によりバラスト水を殺菌処理した場合において、紫外線照射量毎にその紫外線照射量を受けた微生物の割合を示すグラフである。
【００８５】
このグラフはシミュレーションによる結果を示す。
このシミュレーションでは、例えば、実施形態に係る殺菌処理装置３（比較構造の殺菌処理装置４００）のバラスト水の流れから微生物の経路を計算し、この経路を辿る微生物が受ける紫外線照射量を、個々の微生物について計算する。
【００８６】
図９に示されるように、比較構造の殺菌処理装置４００による殺菌処理では、実施形態の殺菌処理装置３に比べて、紫外線照射量が小さい微生物の割合が高く、紫外線照射量が大きい微生物の割合が低い。
【００８７】
実施形態の殺菌処理装置３による殺菌処理では、比較構造の殺菌処理装置４００に比べて、紫外線照射量が大きい微生物の割合が高く、紫外線照射量が小さい微生物の割合が低い。
【００８８】
実施形態の殺菌処理装置３の作用について説明する。
比較構造の殺菌処理装置４００では、バラスト水が流入口４３７から流出口４３８に至るまでバラスト水の流れは殆ど変わらない。すなわち、紫外線ランプ３９の近傍に流れるバラスト水は、流入口４３７から流出口４３８に至るまで紫外線ランプ３９の近傍に沿って流れ続ける。また、紫外線ランプ３９から離れたところを流れるバラスト水は、流入口４３７から流出口４３８に至るまで紫外線ランプ３９から離れたところを流れ続ける。
【００８９】
また、紫外線ランプ３９の近傍に流れるバラスト水の割合は、比較構造の殺菌処理装置４００に流れるバラスト水の全体量に対して少ない。また、紫外線強度は、紫外線ランプ３９からの距離の２乗に反比例して小さい。このようなことから、比較構造の殺菌処理装置４００による殺菌処理では、図９に示すように、紫外線照射量が小さい微生物の割合が高くなる。
【００９０】
一方、実施形態に係る殺菌処理装置３では、水流変更板４０により、流入口３７から流出口３８に至るまでにバラスト水の流れが変えられる。このため、紫外線ランプ３９近傍のバラスト水の一部が、紫外線ランプ３９から離れるように流れる。またこれに伴って、紫外線ランプ３９から離れたところのバラスト水の一部が、紫外線ランプ３９に接近する。これにより、紫外線ランプ３９に接近せず、紫外線ランプ３９から離れたところを流通するバラスト水の水量が少なくなる。このため、比較構造の殺菌処理装置４００に比べて、紫外線照射量が小さい微生物の割合が低くなる。
【００９１】
また、バラスト水が流入口３７から流出口３８に至るまでに辿る経路は、比較構造の殺菌処理装置４００に比べて長くなるため、微生物が紫外線を受けている時間（紫外線照射時間）も長くなる。このような理由によっても、紫外線照射量が低い微生物の割合が低くなる。
【００９２】
本実施形態の殺菌処理装置３は次の効果を奏する。
（１）殺菌処理装置３は水流変更板４０を備える。水流変更板４０は、チャンバ３０内に配置されてバラスト水の流れを紫外線ランプ３９の長手方向ＤＬとは異なる方向に変える。
【００９３】
このため、紫外線ランプ３９に接近せず、紫外線ランプ３９から離れたところを流通するバラスト水の水量を少なくすることができる。これによって、比較構造の殺菌処理装置４００に比べて、紫外線照射量が小さい微生物の割合を低くすることができる。
【００９４】
（２）また、水流変更板４０は、紫外線ランプ３９に交わっている。
この構成によれば、紫外線ランプ３９の近傍に流れるバラスト水が紫外線ランプ３９から離れるように流れる。そして、この流れに伴って、紫外線ランプ３９から離れたところのバラスト水が紫外線ランプ３９に接近する。このようなことから、紫外線ランプ３９の近傍でかつこの紫外線ランプ３９に沿うように流通するバラスト水の水量を少なくすることができる。そして、この作用により、紫外線ランプ３９に接近せずに紫外線ランプ３９から離れたところを流通するバラスト水の水量を少なくすることができる。このため、水流変更板４０を紫外線ランプ３９に交わらせない構成に比べると、紫外線照射量が小さい微生物の割合を低くすることができる。
【００９５】
（３）また、殺菌処理装置３は、複数本の前記紫外線ランプ３９を有する。
これら紫外線ランプ３９は互いに平行に、かつ複数本の紫外線ランプ３９の中心軸Ｃが一つの平面Ｓに含まれるように配置されている。チャンバ３０内の空間はこの平面Ｓにより第１空間ＲＡと第２空間ＲＢに区分されている。そして、第１水流変更板４０Ａは、第１空間ＲＡ内に配置され、紫外線ランプ３９の長手方向ＤＬに対して垂直（または斜め）に配置されている。第２水流変更板４０Ｂは、第２空間ＲＢ内に配置され、紫外線ランプ３９の長手方向ＤＬに対して垂直に配置されている。
【００９６】
すなわち、チャンバ３０内の空間において、複数本の紫外線ランプ３９により構成される平面Ｓを境界として区分される第１空間ＲＡ及び第２空間ＲＢのそれぞれに、第１及び第２水流変更板４０Ａ，４０Ｂを配置する。そして、第１及び第２水流変更板４０Ａ，４０Ｂを、紫外線ランプ３９の長手方向ＤＬに対して垂直に配置する。このため、第１空間ＲＡ側に流れるバラスト水と第２空間ＲＢ側に流れるバラスト水は、それぞれ他方の空間に流れるようになる。このとき、各空間に流通するバラスト水が他の空間に流れるときに紫外線ランプ３９に接近する。すなわち、紫外線ランプ３９に接近せずに紫外線ランプ３９から離れたところを流通し続けて流出するようなバラスト水の流れの形成が抑制される。これによって、殺菌処理装置３により処理されるバラスト水に含まれる微生物の個体数について、紫外線照射量が小さい微生物の割合が低くなる。
【００９７】
なお、上記実施形態では、第１水流変更板４０Ａ及び第２水流変更板４０Ｂを、紫外線ランプ３９の長手方向ＤＬに対して垂直に配置しているが、第１水流変更板４０Ａ及び第２水流変更板４０Ｂを、紫外線ランプ３９の長手方向ＤＬに対して斜めに配置してもよい。この場合においても、同様の効果を奏する。
【００９８】
（４）この殺菌処理装置３において、チャンバ３０は、紫外線ランプ３９の長手方向ＤＬに垂直な断面において矩形である。また、複数本の紫外線ランプ３９は等間隔に配置される。そして、複数本の紫外線ランプ３９の中心軸Ｃが含まれる平面Ｓ内の各点の紫外線強度が、チャンバ３０の周壁においてこの平面Ｓに対向する面上各点（すなわち、上壁３１及び下壁３２上の各点）の紫外線強度よりも高くなるように、紫外線ランプ３９の間隔ＤＸが規定される。
【００９９】
複数本の紫外線ランプ３９の間隔ＤＸが大きい場合、２本の紫外線ランプ３９の中間あたりの紫外線強度が低くなる。このため、バラスト水の流れが紫外線ランプ３９の長手方向ＤＬとは異なる方向に変えられたとしても、紫外線ランプ３９から離れたところを流れるバラスト水の一部が、この２本の紫外線ランプ３９の中間あたりを通過したとすると、このバラスト水に含まれる微生物の紫外線照射量の増大は小さい。このため、紫外線照射量が小さい微生物の割合が低くなるものの、その効果が小さくなるおそれがある。
【０１００】
そこで、本実施形態では、上記条件のように紫外線ランプ３９の間隔ＤＸを規定する。すなわち、紫外線ランプ３９の間隔ＤＸを、上記条件において取りうる値の最大値以下とする。これによって、紫外線ランプ３９間の間隔ＤＸをこの規定による間隔の最大値よりも大きくした場合に比べ、紫外線照射量が小さい微生物の割合を低くすることができる。
【０１０１】
（５）この殺菌処理装置３において、第１水流変更板４０Ａと第２水流変更板４０Ｂとは交互に配列されている。
仮に、第１空間ＲＡ内に２枚の第１水流変更板４０Ａが連続して配置される場合、この第１水流変更板４０Ａの間のバラスト水が滞留する。この点、上記構成によれば、チャンバ３０内を流通するバラスト水が蛇行するように流通する。このため、バラスト水がチャンバ３０内で滞留することが抑制される。
【０１０２】
（６）この殺菌処理装置３において、第１水流変更板４０Ａと第２水流変更板４０Ｂとは、紫外線ランプ３９の長手方向ＤＬに沿う方向で透視した場合に、第１及び第２水流変更板４０Ａ，４０Ｂそれぞれの一部分で互いに重なり合っている。
【０１０３】
第１水流変更板４０Ａと第２水流変更板４０Ｂとが重なり合っていない場合、紫外線ランプ３９の長手方向ＤＬに沿って直線状の流路が形成される。バラスト水は、障害が少ないところに流れるため、この直線状の流路にバラスト水が集中して流れるおそれがある。この場合、第１及び第２水流変更板４０Ａ，４０Ｂの作用が小さくなる。この点、上記構成によれば、第１水流変更板４０Ａと第２水流変更板４０Ｂとを重なり合わせている。これにより、紫外線ランプ３９の長手方向ＤＬに沿う直線状の流路が形成されないため、第１及び第２水流変更板４０Ａ，４０Ｂが効果的に作用する。
【０１０４】
（７）実施形態に係るバラスト水処理装置１は、上記殺菌処理装置３を備える。
このバラスト水処理装置１によれば、紫外線ランプ３９に接近せずに紫外線ランプ３９から離れたところを流通するバラスト水の水量を少なくすることができる。これにより、紫外線照射量が小さい微生物の割合を低くすることができる。
【０１０５】
［第２実施形態］
殺菌処理装置２０３について他の例を説明する。
図１０は、この殺菌処理装置２０３の一部の斜視図であり、図１１は、この殺菌処理装置２０３の断面図を示す。
【０１０６】
この実施形態に係る殺菌処理装置２０３は、第１実施形態に示した殺菌処理装置３の水流変更板４０とは異なる構成の水流変更板２４０を有する。なお、この実施形態に係る殺菌処理装置２０３の説明においては、上記第１実施形態に示した殺菌処理装置３の構成要素と同一構成要素には、上記実施形態と同一の符号を付し、その説明を省略する。
【０１０７】
殺菌処理装置２０３は、複数本の紫外線ランプ３９を有する。
これら紫外線ランプ３９は互いに平行に配列されている。また、複数本の紫外線ランプ３９の中心軸Ｃが一つの平面Ｓ（図１１参照）に含まれるように、紫外線ランプ３９が配置されている。
【０１０８】
水流変更板２４０としては、チャンバ３０内に３種類ものが設けられている。なお、
図１０において、水流変更板２４０にはドットを付している。
第１水流変更板２４０Ａは、複数本の紫外線ランプ３９が貫通するように設けられている。また、第１水流変更板２４０Ａは、平面Ｓを挟む両側にそれぞれに第１開口部２４１及び第２開口部２４２を形成する。第１開口部２４１はチャンバ３０の上壁３１に沿うように形成されている。第２開口部２４２はチャンバ３０の下壁３２に沿うように形成されている。
【０１０９】
第２水流変更板２４０Ｂは、チャンバ３０の周壁（上壁３１、下壁３２、左側壁３５、右側壁３６）のうちで平面Ｓに対向する上壁３１から紫外線ランプ３９の方向に向かって突出し、かつ第１開口部２４１に対向するように設けられている。
【０１１０】
第３水流変更板２４０Ｃは、チャンバ３０の周壁のうちで平面Ｓに対向する下壁３２から紫外線ランプ３９の方向に向かって突出し、かつ第２開口部２４２に対向するように設けられている。
【０１１１】
この殺菌処理装置２０３の作用を説明する。
この構成によれば、紫外線ランプ３９に沿って流れるバラスト水が第１水流変更板２４０Ａによってその流れが変更されて、第１及び第２開口部２４１，２４２に流入する。これら開口部２４１，２４２に対向する位置には第２及び第３水流変更板２４０Ｂ，２４０Ｃがそれぞれ配置されているため、第１及び第２開口部２４１，２４２に流入するバラスト水は、第２または第３水流変更板２４０Ｂ，２４０Ｃによってその流れが変えられて、紫外線ランプ３９に接近する。すなわち、紫外線ランプ３９に接近せずに紫外線ランプ３９から離れたところを流通するようなバラスト水の流れの形成が抑制される。
【０１１２】
本実施形態の殺菌処理装置２０３は次の効果を奏する。
上記作用により、紫外線ランプ３９に接近せずに紫外線ランプ３９から離れたところを流通するようなバラスト水の流れの形成が抑制されるため、比較構造の殺菌処理装置４００に比べて、殺菌処理装置２０３により処理されるバラスト水に含まれる微生物の個体数について、紫外線照射量が小さい微生物の割合を低くすることができる。
【０１１３】
また、本実施形態に係る殺菌処理装置２０３を備えるバラスト水処理装置１は、バラスト水に含まれる微生物の個体数について、紫外線照射量が小さい微生物の割合を低くすることができる。
【０１１４】
［第３実施形態］
殺菌処理装置３０３について更に別の例を説明する。
図１２に、この殺菌処理装置３０３の一部の斜視図を示す。
【０１１５】
この実施形態に係る殺菌処理装置３０３は、第１実施形態に示した殺菌処理装置３の水流変更板４０とは異なる構成の水流変更板３４０を有する。なお、この実施形態に係る殺菌処理装置３０３の説明においては、上記第１実施形態に示した殺菌処理装置３の構成要素と同一構成要素には、上記実施形態と同一の符号を付し、その説明を省略する。
【０１１６】
チャンバ３３０は円筒状に形成されている。
紫外線ランプ３９は、このチャンバ３３０の中心軸ＣＸに沿うように配置されている。
水流変更板３４０としては、チャンバ３３０内に２種類ものが設けられている。
【０１１７】
第１水流変更板３４０Ａは、紫外線ランプ３９が貫通するように設けられかつチャンバ３０の周壁に沿う開口部３４１を形成する。
第２水流変更板３４０Ｂは、チャンバ３３０の周壁に沿うようにかつ開口部３４１に対向するように設けられている。また、第２水流変更板３４０Ｂは、紫外線ランプ３９が挿通する開口部３４２を有する。
【０１１８】
この殺菌処理装置３０３の作用を説明する。
この構成によれば、紫外線ランプ３９に沿って流れるバラスト水が第１水流変更板３４０Ａによってその流れが変更されて、開口部３４１に流入する。そして、この開口部３４１に対向する位置には、第２水流変更板３４０Ｂが配置されているため、この開口部３４１を流入するバラスト水は、第２水流変更板３４０Ｂによってその流れが変えられて、紫外線ランプ３９に接近する。すなわち、紫外線ランプ３９に接近せずに紫外線ランプ３９から離れたところを流通するようなバラスト水の流れの形成が抑制される。
【０１１９】
本実施形態の殺菌処理装置３０３は次の効果を奏する。
上記作用により、紫外線ランプ３９に接近せずに紫外線ランプ３９から離れたところを流通するようなバラスト水の流れの形成が抑制されるため、比較構造の殺菌処理装置と比べて、殺菌処理装置３０３により処理されるバラスト水に含まれる微生物の個体数について、紫外線照射量が小さい微生物の割合を低くすることができる。なお、ここで本実施形態と比較される比較構造の殺菌処理装置とは、紫外線ランプが１本であり、他の構成は上記殺菌処理装置４００と同じ構造を有するものである。
【０１２０】
また、本実施形態に係る殺菌処理装置３０３を備えるバラスト水処理装置１は、バラスト水に含まれる微生物の個体数について、紫外線照射量が小さい微生物の割合を低くすることができる。
【０１２１】
（その他の実施形態）
なお、上記課題を解決するための技術は、上記に示した実施態様に限られるものではなく、これを以下に示すように態様に変更することもできる。
【０１２２】
・第１実施形態においては、殺菌処理装置３内に水流変更板４０を複数枚配置しているが、水流変更板４０の枚数はこれに限定されない。すなわち、殺菌処理装置３に、１枚だけ水流変更板４０を設ける構成を採用することもできる。このような構成においても、チャンバ３０の前壁３３及び後壁３４を利用することにより、水流を蛇行させることができるため、当該構成の殺菌処理装置３は、第１実施形態に記載の上記（１）と同様の効果を奏する。
【０１２３】
・第１〜第３の実施形態に記載の殺菌処理装置３，２０３，３０３について、次の変更を加えることができる。これらの実施形態では、水流変更板４０、２４０，３４０に、バラスト水の流れを整える整流板を設けていないが、バラスト水の流れに沿って整流板を設けるようにしてもよい。このような構成によれば、バラスト水処理速度を向上させることができる。
【０１２４】
・第１及び第２実施形態に記載の殺菌処理装置３のチャンバ３０は、断面視において矩形であるが、チャンバ３０の形態はこれに限定されない。例えば、これらの実施形態において、円筒状のチャンバ３０を採用することができる。
【０１２５】
・上記各実施形態で示す水流変更板４０，２４０，３４０の形態は平板であるが、殺菌処理装置３，２０３，３０３に採用される水流変更板４０，２４０，３４０の形態はこれに限定されない。例えば、曲面を有する水流変更板４０，２４０，３４０を採用することもできる。また、水流変更板４０，２４０，３４０は板状に限定されない。例えば、水流変更板４０，２４０，３４０として、断面視において山形状のものを採用することができる。
【０１２６】
図１３に、第１実施形態に記載の水流変更板４０の変形例を示す。
この例では、水流変更板４０の上流側の面４０Ｓ（バラスト水が当たる面）を、バラスト水が紫外線ランプ３９の方向に案内する曲面状の傾斜面（平面でもよい。）とする。また、水流変更板４０の上流側の反対面４０Ｒ（上流側とは反対側の面）を、紫外線ランプ３９の長手方向ＤＬに沿うようにバラスト水を導く曲面状の傾斜面（平面でもよい。）とする。
【０１２７】
・このような構成にする場合（図１３参照）は、紫外線ランプ３９が貫通する部分４０Ｐの水流変更板４０の厚みを薄くすることが好ましい。紫外線ランプ３９から放射される紫外線を有効活用するためである。同様の理由により、第２実施形態において山形状の水流変更板２４０を採用するときは、第２及び第３水流変更板２４０Ｂ，２４０Ｃを山形状にすることが好ましい。また、第３実施形態において山形状の水流変更板３４０を採用するときは、第２水流変更板３４０Ｂを山形状にすることが好ましい。
【符号の説明】
【０１２８】
１…バラスト水処理装置
２…ろ過装置
３…殺菌処理装置
２０…ケース
２１…フィルタモジュール
２２…フィルタ
２３…流入口
２４…排出口
３０…チャンバ
３１…上壁
３２…下壁
３３…前壁
３４…後壁
３５…左側壁
３６…右側壁
３７…流入口
３８…流出口
３９…紫外線ランプ
４０…水流変更板
４０Ａ…第１水流変更板
４０Ｂ…第２水流変更板
４１Ａ…左端
４２Ａ…右端
４３Ａ…下端
４１Ｂ…左端
４２Ｂ…右端
４３Ｂ…上端
５１…第１配管
５２…第２配管
５３…第３配管
５３Ａ…主配管
５３Ｂ…バイパス配管
５４…第４配管
５５…第５配管
５６…第６配管
５７…第７配管
６１…第１バルブ
６２…第２バルブ
６３…第３バルブ
６４…第４バルブ
６５…第５バルブ
６６…第６バルブ
６７…第７バルブ
１００…船舶
１１０…取水口
１２０…排水口
１３０…バラスト水タンク
１４０…ポンプ
１４１…第１吸込口
１４２…第２吸込口
１４３…吐出口
２０３…殺菌処理装置
２４０Ａ…第１水流変更板
２４０Ｂ…第２水流変更板
２４０Ｃ…第３水流変更板
２４１…開口部
２４２…開口部
３０３…殺菌処理装置
３３０…チャンバ
３４０Ａ…第１水流変更板
３４０Ｂ…第２水流変更板
３４１…開口部
３４２…開口部
４００…殺菌処理装置
４３０…チャンバ
４３７…流入口
４３８…流出口
【図１】
2015033677.tif 000003
【図２】
2015033677.tif 000004
【図３】
2015033677.tif 000005
【図４】
2015033677.tif 000006
【図５】
2015033677.tif 000007
【図６】
2015033677.tif 000008
【図７】
2015033677.tif 000009
【図８】
2015033677.tif 000010
【図９】
2015033677.tif 000011
【図１０】
2015033677.tif 000012
【図１１】
2015033677.tif 000013
【図１２】
2015033677.tif 000014
【図１３】
2015033677.tif 000015